【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
凍結生物学的試料から凍結分割量を収集する単回使用コア採取プローブであって、
前記凍結生物学的試料から凍結試料コアを取り出す中空コア採取ビットと、
前記中空コア採取ビットにより取り出された前記凍結試料コアを、前記中空コア採取ビットから排出するように適合されている排出器であって、前記排出器は、後退位置から延長位置に移動可能であり、前記後退位置から前記延長位置に移動しながら、凍結試料コアを前記コア採取ビットから押し出すように動作可能である、排出器と、
前記単回使用コア採取プローブの再使用を防止するように適合されている係止機構と、を含む、単回使用コア採取プローブ。
【請求項２】
前記係止機構が、前記延長位置から前記後退位置への前記排出器の移動を防止するように適合されている、請求項１に記載の単回使用コア採取プローブ。
【請求項３】
前記中空コア採取ビットをコア採取装置に接続するように適合されている連結器を更に含む、請求項１〜２のいずれか一項に記載の単回使用コア採取プローブ。
【請求項４】
前記連結器が、前記コア採取ビットの近端部と遠端部との間の前記コア採取ビットの外面に固定されている、請求項３に記載の単回使用コア採取プローブ。
【請求項５】
前記連結器が、前記コア採取ビットを受け入れる中央開口を有する、請求項３〜４のいずれか一項に記載の単回使用コア採取プローブ。
【請求項６】
前記中空コア採取ビットが、前記連結器の一方の端部から反対側の端部まで前記連結器を通って延長している、請求項３〜５のいずれか一項に記載の単回使用コア採取プローブ。
【請求項７】
前記連結器が、前記コア採取ビットと一線上にある中心軸に関して対称である、請求項３〜６のいずれか一項に記載の単回使用コア採取プローブ。
【請求項８】
前記連結器が、狭い近端部および広い遠端部を有する先細部分を含む、請求項３〜７のいずれか一項に記載の単回使用コア採取プローブ。
【請求項９】
前記連結器が、前記連結器の外面から内側に向かって放射状に延長している外周溝を有する、請求項３〜８のいずれか一項に記載の単回使用コア採取プローブ。
【請求項１０】
前記連結器が、前記連結器に回転力を適用することによって前記コア採取プローブの回転を促進するため、放射状に延長している複数のスプラインを含む、請求項３〜９のいずれか一項に記載の単回使用コア採取プローブ。
【請求項１１】
前記連結器が、前記連結器から前記コア採取ビットへの熱の伝達を制限するように適合されている、請求項３〜１０のいずれか一項に記載の単回使用コア採取プローブ。
【請求項１２】
前記連結器が、約５０ｗ／ｍＫ以下の熱伝導率を有する材料から作製される、請求項３〜１１いずれか一項に記載の単回使用コア採取プローブ。
【請求項１３】
前記連結器が、前記連結器を介した熱の流れに抵抗するために、空気および真空の少なくとも１つで充填されている空隙を含む、請求項３〜１２のいずれか一項に記載の単回使用コア採取プローブ。
【請求項１４】
前記連結器が、回転および回転力を前記コア採取装置のモーターから前記中空コア採取ビットに伝達するように適合されているモーター連結器に、前記中空コア採取ビットを接続するように適合されている、請求項３〜１３のいずれか一項の請求項に記載の単回使用コア採取プローブ。
【請求項１５】
前記連結器が、前記コア採取ビットと別に形成され、前記コア採取ビットに固定されている、請求項３〜１４のいずれか一項に記載の単回使用コア採取プローブ。
【請求項１６】
前記連結器が、回転および回転力を前記コア採取装置のモーターから前記中空コア採取ビットに伝達するように適合されているモーター連結器に、前記中空コア採取ビットを接続するように適合されている、請求項３〜１５のいずれか一項に記載の単回使用コア採取プローブ。
【請求項１７】
前記連結器が、フランジを含み、前記モーター連結器が、開口を有する磁石、ならびに磁石支持体および複数のボールを含む磁石連結器を含み、前記磁石と前記磁石支持体との間の磁場が、前記複数のボールを前記コア採取ビット連結器の前記フランジの遠面と係合させ、前記フランジが、前記磁石の前記開口に受け入れられ、かつ前記ボールにより前記開口の中で固定されるように適合されている、請求項１６に記載の単回使用コア採取プローブ。
【手続補正２】
【補正対象書類名】明細書
【補正対象項目名】００３４
【補正方法】変更
【補正の内容】
【００３４】
他の目的および特徴は、部分的に明らかになり、本明細書以降に部分的に指摘される。
本発明は、例えば、以下を提供する。
（項目１）
凍結生物学的試料から凍結分割量を収集する単回使用コア採取プローブであって、
前記凍結生物学的試料から凍結試料コアを取り出す中空コア採取ビットと、
前記中空コア採取ビットにより取り出された前記凍結試料コアを、前記中空コア採取ビットから排出するように適合されている排出器であって、後退位置から延長位置に移動可能であり、前記後退位置から前記延長位置に移動しながら、凍結試料コアを前記コア採取ビットから押し出すように動作可能である、前記排出器と、
前記単回使用コア採取プローブの再使用を防止するように適合されている係止機構と、を含む、単回使用コア採取プローブ。
（項目２）
前記係止機構が、前記延長位置への前記排出器の移動により自動的に作動する、項目１に記載の単回使用コア採取プローブ。
（項目３）
前記係止機構が、前記延長位置から前記後退位置への前記排出器の移動を防止するように適合されている、項目１または２に記載の単回使用コア採取プローブ。
（項目４）
前記排出器が、前記後退位置にある前記中空コア採取ビットの遠端部を越えて延長せず、前記排出器が、前記延長位置にある前記中空コア採取ビットの前記遠端部を越えて延長する、項目１〜３のいずれか一項に記載の単回使用コア採取プローブ。
（項目５）
前記係止機構が、中空コア採取ビットの側壁にある開口部に係合するように適合されている排出器上に少なくとも１つの突起を含み、前記突起および開口部が、前記突起が前記開口部に受け入れられると、前記後退位置への前記排出器の移動に抵抗するように構成されている、項目１〜４のいずれか一項に記載の単回使用コア採取プローブ。
（項目６）
前記係止機構が、前記排出器が前記延長位置に移動し、かつ前記排出器が前記後退位置に戻るように移動することに抵抗する詰まり作用を生じるように、前記中空コア採取ビットを変形するように適合されている前記排出器上に少なくとも１つの突起を含む、項目１〜４のいずれか一項に記載の単回使用コア採取プローブ。
（項目７）
単回使用コア採取プローブを凍結生物学的試料に挿入し、続いて前記単回使用コア採取プローブを前記凍結生物学的試料から引き抜くことにより、凍結生物学的試料から凍結試料コアを取り出す単回使用コア採取プローブであって、前記単回使用コア採取プローブが、凍結生物学的試料から凍結試料コアを収集することに使用された後、前記単回使用コア採取プローブの再使用を妨げるように構成されている、使用コア採取プローブ。
（項目８）
前記単回使用コア採取プローブが、排出器、前記凍結試料コアが前記排出器から排出されるまで単回使用コア採取プローブ内に凍結試料コアを確実に保持するように適合されている凍結試料コア保持系、および前記単回使用コア採取プローブから凍結試料コアを排出するために前記排出器を使用すると、前記排出器を自動的に固定化する係止機構を含む、項目７に記載の単回使用コア採取プローブ。
（項目９）
単回使用コア採取プローブを凍結生物学的試料に挿入し、続いて前記単回使用コア採取プローブを前記凍結生物学的試料から引き抜くことにより、凍結生物学的試料から凍結試料コアを取り出すように適合されている単回使用コア採取プローブであって、前記単回使用コア採取プローブが、単回使用の後に前記単回使用コア採取プローブを動作不能にし、それにより前記単回使用コア採取プローブが前記単回使用の後に凍結生物学的試料から別の凍結試料コアを取り出すことにもはや適さなくなるようにする機構を含む、単回使用コア採取プローブ。
（項目１０）
前記機構が、前記コア採取プローブからの前記凍結試料コアの除去の際に自動的に作動する、項目９に記載の単回使用コア採取プローブ。
（項目１１）
単回使用コア採取プローブを凍結生物学的試料に挿入し、続いて前記単回使用コア採取プローブを前記凍結生物学的試料から引き抜くことにより、凍結生物学的試料から凍結試料コアを取り出す単回使用コア採取プローブであって、前記単回使用コア採取プローブが、単一凍結試料コアを取り出す単回使用コア採取プローブの使用が前記単回使用コア採取プローブを自動的に動作不能にするように適合されている、単回使用コア採取プローブ。
（項目１２）
凍結生物学的試料から凍結分割量を収集するコア採取プローブであって、
前記凍結生物学的試料から凍結試料コアを取り出す中空コア採取ビットと、
前記中空コア採取ビットにより取り出された前記凍結試料コアを、前記中空コア採取ビットから排出するように適合されている排出器であって、後退位置から延長位置に移動可能であり、前記後退位置から前記延長位置に移動しながら、凍結試料コアを前記コア採取ビットから押し出すように操作可能である、前記排出器と、
前記中空コア採取ビットをコア採取装置に開放可能に接続するように適合されている連結器であって、前記コア採取ビットに取り付けられ、かつ前記コア採取装置からの前記コア採取ビットの分離後に前記コア採取ビットに取り付けられたままであるように適合されている、前記連結器と、
を含む、コア採取プローブ。
（項目１３）
前記単回使用コア採取プローブが、前記凍結生物学的試験片から前記凍結試料コアを取り出す中空コア採取ビットを含む、項目７〜１１のいずれか一項に記載の単回使用コア採取プローブ。
（項目１４）
前記中空コア採取ビットをコア採取装置に接続するように適合されている連結器を更に含む、項目１〜６および１３のいずれか一項に記載の単回使用コア採取プローブ。
（項目１５）
前記連結器が、前記コア採取ビットの近および遠端部の間の前記コア採取ビットの外面に固定されている、項目１２〜１４のいずれか一項に記載の単回使用コア採取プローブ。
（項目１６）
前記連結器が、前記コア採取ビットを受け入れる中央開口を有する、項目１２〜１５のいずれか一項に記載の単回使用コア採取プローブ。
（項目１７）
前記中空コア採取ビットが、前記連結器の一方の端部から反対側の端部まで前記連結器を通って延長している、項目１２〜１６のいずれか一項に記載の単回使用コア採取プローブ。
（項目１８）
前記連結器が、前記コア採取ビットと一線上にある中心軸に関して対称である、項目１２〜１７のいずれか一項に記載の単回使用コア採取プローブ。
（項目１９）
前記連結器が、狭い近端部および広い遠端部を有する先細部分を含む、項目１２〜１８のいずれか一項に記載の単回使用コア採取プローブ。
（項目２０）
前記連結器が、前記連結器の外面から内側に向かって放射状に延長している外周溝を有する、項目１２〜１９のいずれか一項に記載の単回使用コア採取プローブ。
（項目２１）
前記連結器が、前記連結器に回転力を適用することによって前記コア採取プローブの回転を促進するため、放射状に延長している複数のスプラインを含む、項目１２〜２０のいずれか一項に記載の単回使用コア採取プローブ。
（項目２２）
前記連結器が、前記連結器から前記コア採取ビットへの熱の伝達を制限するように適合されている、項目１２〜２１のいずれか一項に記載の単回使用コア採取プローブ。
（項目２３）
前記連結器が、約５０ｗ／ｍＫ未満の熱伝導率を有する材料から作製される、項目１２〜２２いずれか一項に記載の単回使用コア採取プローブ。
（項目２４）
前記連結器が、前記連結器を介した熱の流れに抵抗するために、空気および真空の少なくとも１つで充填されている空隙を含む、項目１２〜２３のいずれか一項に記載の単回使用コア採取プローブ。
（項目２５）
前記連結器が、回転および回転力を前記コア採取装置のモーターから前記中空コア採取ビットに伝達するように適合されているモーター連結器に、前記中空コア採取ビットを接続するように適合されている、項目１２〜２４のいずれか一項の項目に記載の単回使用コア採取プローブ。
（項目２６）
前記連結器が、前記コア採取ビットと別に形成され、前記コア採取ビットに固定されている、項目１２〜２５のいずれか一項に記載の単回使用コア採取プローブ。
（項目２７）
前記連結器が、回転および回転力を前記コア採取装置のモーターから前記中空コア採取ビットに伝達するように適合されているモーター連結器に、前記中空コア採取ビットを接続するように適合されている、項目１２および１４のいずれか一項に記載の単回使用コア採取プローブ。
（項目２８）
前記連結器が、歯を有する近面を含み、前記モーター連結器が、歯を有する遠面を有し、前記コア採取ビット連結器の前記歯が、前記モーター連結器の前記歯との係合により、前記コア採取ビットを前記モーターに駆動的に接続するように適合されている、項目２７に記載の単回使用コア採取プローブ。
（項目２９）
前記連結器が、フランジを含み、前記モーター連結器が、開口を有する磁石、ならびに磁石支持体および複数のボールを含む磁石連結器を含み、前記磁石と前記支持体の間の磁場が、前記複数のボールを前記コア採取ビット連結器の前記フランジの遠面と係合させ、前記フランジが、前記磁石の前記開口に受け入れられ、かつ前記ボールにより前記開口の中で固定されるように適合されている、項目２７に記載の単回使用コア採取プローブ。
（項目３０）
前記連結器が、円錐形フランジを含み、前記モーター連結器が、前記円錐形フランジを受け入れるように適合されている円錐形開口を含む、項目２７に記載の単回使用コア採取プローブ。
（項目３１）
前記中空コア採取ビットに位置するコア採取深さガイドを更に含み、前記コア採取深さガイドが、中空コア採取ビットが凍結生物学的試料に挿入され得る深さを制限するように適合されている、項目１〜３０のいずれか一項に記載の単回使用コア採取プローブ。
（項目３２）
前記中空コア採取ビットが、前記中空コア採取ビット内の凍結試料コアの保持を促進するため、前記中空コア採取ビットの遠端部に凍結試料コア保持系を更に含む、項目１〜３１のいずれか一項に記載の単回使用コア採取プローブ。
（項目３３）
前記凍結試料コア保持系が、前記中空コア採取ビットの中空内部に内側に向かって放射状に延長している少なくとも１つのタブを含む、項目３２に記載の単回使用コア採取プローブ。
（項目３４）
前記タブが、内側に向かって放射状に延長するとき、前記中空コア採取ビットの遠端部から離れて延長するような角度に向けられている、項目３３に記載の単回使用コア採取プローブ。
（項目３５）
前記凍結試料コア保持系が、第１の位置から内側に向かって放射状に第２の位置まで移動可能な少なくとも１つのフィンガーを含み、前記フィンガーが、前記第２の位置の前記中空コア採取ビットの側壁にある開口部を通って前記中空コア採取ビット内に向かって放射状に延長している、項目３２に記載の単回使用コア採取プローブ。
（項目３６）
前記凍結試料コア保持系が、前記中空コア採取ビットの一部を受け入れるように適合されているスリーブを更に含み、前記少なくとも１つのフィンガーが、前記スリーブの遠端部に位置している、項目３５に記載の単回使用コア採取プローブ。
（項目３７）
前記凍結試料コア保持系が、中空コア採取ビットの未処理表面に対する凍結試料コアの滑動に対する抵抗性と比較して、処理表面に対する前記凍結試料コアの滑動に対する抵抗性を増加するように処理された前記中空コア採取ビットの内部の表面を含む、項目３２に記載の単回使用コア採取プローブ。
（項目３８）
前記処理表面が、前記未処理表面と比べて前記処理表面の粗さを増加する過程に付される、項目３７に記載の単回使用コア採取プローブ。
（項目３９）
前記単回使用コア採取プローブが、生物学的試料を分解または汚染し得るヌクレオチド、核酸、ヌクレアーゼ、および他の酵素、または生物学的分子を含まず、かつ前記単回使用コア採取プローブの状態を維持するように適合されている包装に包装されている、項目１〜３８のいずれか一項に記載の単回使用コア採取プローブ。
（項目４０）
前記単回使用コア採取プローブが、滅菌であり、前記単回使用コア採取プローブの前記滅菌状態を維持するように適合されている包装に包装されている、項目１〜４０のいずれか一項に記載の単回使用コア採取プローブ。
（項目４１）
複数の凍結試料から凍結試料コアを取り出す系であって、前記系が、項目１〜４０のいずれか一項に記載の単回使用コア採取プローブ、およびモーターが前記単回使用コア採取プローブの切断運動を駆動するように前記単回使用コア採取プローブに接続されている前記モーターを含む、系。
（項目４２）
前記モーターが、コア採取プローブの回転運動を駆動して、前記切断運動を生じるように適合されている、項目４１に記載の系。
（項目４３）
凍結試料から凍結試料コアを取り出す方法であって、
コア採取ビットを前記凍結試料に挿入して、前記凍結試料コアを得ることと、
排出器を、後退位置から延長位置に移動して、前記コア採取ビットから前記凍結試料コアを排出することと、
前記コア採取ビットを動作不能にして、前記コア採取ビットの再使用を妨げることと、を含む方法。
（項目４４）
前記コア採取ビットおよび排出器が、コア採取プローブの一部であり、前記コア採取プローブが、前記排出器が前記延長位置に移動すると、前記コア採取ビットを自動的に動作不能にするように適合されている、項目４３に記載の方法。
（項目４５）
前記コア採取プローブが、係止機構を含み、前記延長位置への前記排出器の移動が、前記排出器を前記延長位置に係止することを含む、項目４４に記載の方法。
（項目４６）
凍結試料から凍結試料コアを取り出す方法であって、
中空コア採取ビットを前記凍結試料に挿入して、前記凍結試料コアを得ることと、
排出器を、後退位置から延長位置に移動して、前記コア採取ビットから前記凍結試料コアを排出することと、
前記コア採取ビットの再使用を妨げるために、前記延長位置に前記排出器を係止することと、
を含む方法。
（項目４７）
前記延長位置における前記排出器の係止が、前記排出器の遠端部が前記中空コア採取ビットの遠端部を越えて延長している位置に、前記排出器を係止することを含む、項目４６に記載の方法。
（項目４８）
前記係止が、前記排出器の前記延長位置への移動によって、前記延長位置に前記排出器を自動的に係止することを含む、項目４６〜４７のいずれか一項に記載の方法。
（項目４９）
操作者が、複数の異なる凍結生物学的試料から複数の凍結試料コアを得るため、ヌクレオチド、核酸、およびヌクレアーゼを含まないコア採取プローブのみを使用する可能性を増加する方法であって、前記コア採取プローブが、前記凍結生物学的試料の１つから前記凍結試料コアの１つを取り出すことに使用した後では、もはやヌクレオチド、核酸、およびヌクレアーゼを含まないことはなく、方法が、単一凍結試料コアを取り出すためのそれぞれのコア採取プローブの使用が対応するコア採取プローブを動作不能構成に変換するように構成されている、ヌクレオチド、核酸、およびヌクレアーゼを含まない複数のコア採取プローブを前記操作者に提供することを含み、前記コア採取プローブが、前記動作不能構成にある間は、あらゆる凍結生物学的試料から凍結試料コアを取り出すことに操作不能である、方法。
（項目５０）
前記複数のコア採取プローブの少なくとも１つが、中空コア採取ビット、前記コア採取ビットから凍結試料コアを排出するため、後退位置と延長位置の間の前記コア採取ビットに対して移動可能である排出器、および前記延長位置に前記排出器を係止するように適合されている係止機構を含む、項目４９に記載の方法。
（項目５１）
凍結生物学的試料から凍結分割量を収集する手持ち式コア採取装置であって、
モーターと、
前記モーターの回転運動および回転力が単回使用コア採取プローブに伝達されるように前記モーターに接続されている、前記単回使用コア採取プローブと、を含み、
前記単回使用コア採取プローブが、凍結生物学的試料から凍結試料コアを収集することに使用された後、前記単回使用コア採取プローブの再使用を妨げるように構成されており、前記単回使用コア採取プローブが、前記モーターから選択的に脱着可能である、手持ち式コア採取装置。
（項目５２）
前記単回使用コア採取プローブが、後退位置から延長位置まで移動可能な排出器、凍結試料コアが前記排出器の前記延長位置への移動により排出されるまで、前記凍結試料コアを前記単回使用コア採取プローブの中に確実に保持するように適合されている凍結試料コア保持系、および前記排出器の前記延長位置への移動によって、前記排出器を前記延長位置に自動的に係止するように適合されている係止機構を含む、項目５１に記載の手持ち式コア採取装置。
（項目５３）
前記単回使用コア採取プローブが、前記凍結生物学的試料から凍結試料コアを取り出す中空コア採取ビット、および前記中空コア採取ビットにより取り出された前記凍結試料コアを前記中空コア採取ビットから排出するように適合されている排出器を含み、前記凍結試料コアが、前記排出器の後退位置から延長位置への移動により前記中空コア採取ビットから排出される、項目５１または５２の記載の手持ち式コア採取装置。
（項目５４）
前記モーターが、モーター連結器を含み、前記単回使用コア採取プローブが、コア採取ビット連結器を含み、前記モーター連結器および前記コア採取ビット連結器が、前記単回使用コア採取プローブを前記モーターに固定するように選択的に係合可能である、項目５１〜５３のいずれか一項に記載の手持ち式コア採取装置。
（項目５５）
前記コア採取ビット連結器が、歯を有する近面を含み、前記モーター連結器が、歯を有する遠面を有し、前記コア採取ビット連結器の前記歯と前記モーター連結器の前記歯が係合するように適合されている、項目５４に記載の手持ち式コア採取装置。
（項目５６）
前記コア採取ビット連結器が、フランジを含み、前記モーター連結器が、開口を有する磁石、ならびに磁石支持体および複数のボールを含む磁石連結器を含み、前記磁石と前記支持体の間の磁場が、前記複数のボールを前記コア採取ビット連結器の前記フランジの遠面と係合させ、前記フランジが、前記モーター連結器の開口に受け入れられ、かつ前記ボールにより前記開口の中で固定されるように適合されている、項目５４に記載の手持ち式コア採取装置。
（項目５７）
前記コア採取ビット連結器が、円錐形フランジを含み、前記モーター連結器が、前記円錐形フランジを受け入れるように適合されている円錐形開口を含む、項目５４に記載の手持ち式コア採取装置。
（項目５８）
前記単回使用コア採取プローブが、前記単回使用コア採取プローブによるコア採取の深さを制限するように適合されているコア採取深さガイドを更に含む、項目５１〜５７のいずれか一項に記載の手持ち式コア採取装置。
（項目５９）
前記凍結試料コアが排出された後の前記単回使用コア採取プローブの使用を防止するように適合されている係止機構を更に含む、項目５１〜５８のいずれか一項に記載の手持ち式コア採取装置。
（項目６０）
前記係止機構が、中空コア採取ビットの側壁にある開口部に係合するように適合されている排出器上に少なくとも１つの突起を含み、前記突起および開口部が、前記突起が前記開口部に受け入れられると、前記後退位置への前記排出器の移動に抵抗するように構成されている、項目５９に記載の手持ち式コア採取装置。
（項目６１）
上記に示され、かつ記載されているようなトレイ。
（項目６２）
凍結試料容器に含有されている凍結生物学的試料から凍結分割量を収集するための系であって、
手持ち式コア採取装置であって、
モーターと、
前記モーターの回転運動および回転力がコア採取プローブに伝達されるように前記モーターに接続されている、前記コア採取プローブと、を含む手持ち式コア採取装置、ならびに
前記凍結試料容器の上に位置するように適合されている位置決めガイドであって、その中を通って延長している、前記コア採取プローブを前記凍結試料容器に誘導するように適合されている開口を有する前記位置決めガイド
を含む系。
（項目６３）
前記位置決めガイドが凍結試料容器の上に位置すると、前記開口が前記凍結試料容器の中心軸からずれるように前記位置決めガイドが構成されている、項目６２に記載の系。
（項目６４）
前記コア採取プローブによるコア採取の深さを制限するように適合されているコア採取深さガイドを更に含み、前記コア採取深さガイドが、前記中空コア採取ビットが前記凍結試料容器の所定の深さに達したときに前記位置決めガイドと接触し、それによって、前記コア採取プローブが更に深くコア採取することを防止する、項目６２または６３に記載の系。
（項目６５）
前記コア採取深さガイドが、前記コア採取プローブに位置している放射状延長フランジを含む、項目６４に記載の系。
（項目６６）
前記コア採取プローブが、前記コア採取プローブの中の凍結試料コアの保持を促進するために凍結試料コア保持系を含む、項目６２〜６５のいずれか一項に記載の系。
（項目６７）
前記凍結試料容器を受け入れるように適合されている少なくとも１つの開口と、凍結分割量受取容器を受け入れるように適合されている少なくとも１つの開口と、コア採取プローブを受け入れるように適合されている少なくとも１つの開口と、前記手持ち式コア採取装置によるコア採取のために前記凍結試料容器を固定するように適合されているクランプを有するトレイを更に含む、項目６２〜６６のいずれか一項に記載の系。
（項目６８）
凍結組織試料の保持に使用される組織試料容器であって、
高さを有する基部と、
組織試料が凍結貯蔵庫に保存されている間、前記容器内の前記基部に固定されている前記組織試料を密閉するために前記基部と選択的に係合可能な蓋であって、前記基部の前記高さよりも大きな高さを有する前記蓋と、
前記組織試料が前記基部に固定されている間に薄切りにされ得うるように、前記基部をスライド薄切り装置に装着するように適合されている前記基部上の連結器と、
を含む組織試料容器。
（項目６９）
前記連結器が、前記基部に取り付けられ、かつ前記スライド薄切り装置に選択的に取り付け可能である装着器を含む、項目６８に記載の組織試料容器。
（項目７０）
前記装着器および前記基部が一体的に形成されている、項目６９に記載の組織試料容器。
（項目７１）
前記装着器および基部の一方が、溝を含み、前記装着器および基部の他方が、前記基部を前記装着器に取り付ける前記溝を受け入れるように適合されている形成物をその上に有する、項目６９に記載の組織試料容器。
（項目７２）
前記基部が、前記基部の反対側に一対の溝を有し、前記装着器が、前記装着器の反対側から内側に向かって延長している一対のレールを有する、項目７１に記載の組織試料容器。
（項目７３）
前記基部が、前記基部の反対側から外側に向かって延長している一対のレールを有し、前記装着器が、前記レールを受け入れるために前記装着器の反対側に一対の溝を有する、項目７１に記載の組織試料容器。
（項目７４）
前記装着器が、前記基部の底面に接続するように適合されている真空チャックを含む、項目６９に記載の組織試料容器。
（項目７５）
前記装着器が、前記スライド薄切り装置に選択的に取り付け可能であるように適合されているポストを含む、項目６９〜７４のいずれか一項に記載の組織試料容器。
（項目７６）
前記基部に含有されている犠牲材料を更に含む、項目６９〜７５のいずれか一項に記載の組織試料容器。
（項目７７）
前記基部に固定された凍結組織試料を更に含み、前記犠牲材料が、前記凍結組織試料と前記基部の底部との間に位置する、項目７６に記載の組織試料容器。
（項目７８）
前記犠牲材料が、凍結組織試料を前記基部に支持し、取り付けるように適合されている生体不活性材料である、項目７６または７７に記載の組織試料容器。
（項目７９）
前記犠牲材料が、凍結生理食塩水、ＯＣＴ、パラフィン、ゼラチン、緩衝液、寒天、細胞培養培地、および水からなる群から選択される、項目７６〜７８のいずれか一項に記載の組織試料容器。
（項目８０）
凍結貯蔵庫用に組織試料を調製するキットであって、
容器であって、高さを有する基部と、前記基部の前記高さよりも大きな高さを有する蓋とを含み、前記蓋が、前記基部に受け入れられている組織試料を覆う、または覆いを取るために、前記基部に対して選択的に移動可能である、前記容器と、
前記基部に配置されて、前記基部の底部の上方の位置に組織試料を支持することができる犠牲材料と、
組織試料を前記犠牲材料の上に位置すること、前記基部に前記蓋を配置して、前記容器の中に前記組織試料を密閉すること、ならびに前記組織試料および容器を凍結貯蔵庫の中に配置することを使用者に指示する使用説明書と、
を含む、キット。
（項目８１）
前記基部が、選択的に取り外し可能な封止構造により封止されている開放端部を有し、前記犠牲材料が、前記基部に予め充填されている、項目８０に記載のキット。
（項目８２）
前記犠牲材料が、前記犠牲材料を前記基部へ移すために使用者により選択的に開放可能である包装の中に含有されている所定量の犠牲材料である、項目８０または８１に記載のキット。
（項目８３）
前記犠牲材料が、凍結生理食塩水、ＯＣＴ、パラフィン、ゼラチン、緩衝液、寒天、細胞培養培地、および水からなる群から選択される、項目８０〜８２のいずれか一項に記載のキット。
（項目８４）
スライド薄切り装置に取り付けられるように構成されている装着器を更に含み、前記装着器が、前記基部を前記スライド薄切り装置に固定するため、前記基部に選択的に取り付けられるように適合されている、項目８０〜８３のいずれか一項に記載のキット。
（項目８５）
組織試料と前記容器との間の接着を促すように適合されている二次媒体を更に含む、項目８０〜８４のいずれか一項に記載のキット。
（項目８６）
前記二次媒体が前記犠牲材料と同一である、項目８５に記載のキット。
（項目８７）
組織試料を組織試料容器の中に装着する方法であって、
犠牲材料の層を前記組織試料容器の底部に配置することと、
前記組織試料が前記容器の底部の上方の位置の前記犠牲材料により支持されるように、前記組織試料を前記犠牲材料の上面に配置することと、
前記組織試料を前記容器の中で凍結することと、
を含む方法。
（項目８８）
前記方法が、前記組織試料を前記犠牲材料の前記上面に配置する前に、前記容器を前記犠牲材料の氷点に冷却することを更に含む、項目８７に記載の方法。
（項目８９）
前記方法が、前記組織試料を前記犠牲材料の前記上面に配置する前に、前記犠牲材料の上面を、液体状態の材料の層により再湿潤することを更に含む、項目８７または８８に記載の方法。
（項目９０）
組織試料容器において組織試料を調製および試料採取する法であって、
前記組織試料を前記組織試料容器の中に装着することと、
前記組織試料容器および組織試料を凍結貯蔵庫に保管することと、
凍結試料コアを、前記凍結組織試料から、前記試料が前記組織試料容器に中に留まっている間に取り出すことと、
を含む方法。
（項目９１）
前記組織試料を前記組織試料容器の中に装着することが、
材料の層を前記組織試料容器の底部に配置することと、
前記組織試料が前記容器の底部の上方の位置の前記犠牲材料により支持されるように、前記組織試料を前記犠牲材料の上面に配置することと、
前記組織試料を前記容器の中で凍結することと、
を含む、項目９０に記載の方法。
（項目９２）
前記方法が、前記組織試料を前記犠牲材料の前記上面に配置する前に、前記容器を前記犠牲材料の氷点に冷却することを更に含む、項目９１に記載の方法。
（項目９３）
前記方法が、前記組織試料を前記犠牲材料の前記上面に配置する前に、前記犠牲材料の上面を、液体状態の材料の層により再湿潤することを更に含む、項目９１または９２に記載の方法。
（項目９４）
前記凍結組織試料を、前記試料が前記組織試料容器の中に留まっている間に試料採取することが、
前記組織試料容器をスライド薄切り装置に装着することと、
前記凍結組織の一部を薄切りにして、切片スライドを作り出すことと、
前記切片スライドを使用して、前記凍結組織試料の目的の領域を識別することと、
前記凍結組織試料を前記目的領域でコア採取して、凍結試料コアを得ることと、
を含む、項目９０〜９３のいずれか一項に記載の方法。
（項目９５）
凍結組織試料を保管する系であって、
基部、および前記容器を開閉するため、前記基部と選択的に係合可能である蓋を含む容器と、
前記容器内に密閉されるように寸法決めされ、造形されている組織輸送台であって、凍結組織の試料を支持する支持面を有する前記組織輸送台と、
を含む系。
（項目９６）
凍結組織が前記支持表面により支持されている間に前記凍結組織を薄切りにする薄切り装置に前記組織輸送台を装着させる連結器を、前記組織輸送台が含む、項目９５に記載の系。
（項目９７）
前記連結器が、前記支持面の反対側の前記組織輸送台の表面にレールを含む、項目９６に記載の系。
（項目９８）
前記組織輸送台が、両側を有し、前記連結器が、前記両側から外側に向かって延長している突出部を含む、項目９６に記載の系。
（項目９９）
前記突出部が、外側に向かって先細る側面下端部を含む、項目９８に記載の系。
（項目１００）
前記両側が、実質的に互いに平行である、項目９９に記載の系。
（項目１０１）
前記組織輸送台が前記容器内に嵌まるため、前記支持表面が、前記容器の中心軸に対して角度が傾斜していなければならないように、前記組織輸送台が寸法決めされ、造形されている、項目９５〜１００のいずれか一項に記載の系。
（項目１０２）
前記容器が、内部空間を有し、前記支持面が、前記容器の中心軸に対して傾斜している平面により取られた前記容器の内部空間の断面の形状と同じ形状を有する、項目１０１に記載の系。
（項目１０３）
前記平面が、前記容器の前記中心軸に対して約３５〜５５度の範囲の角度で傾斜している、項目１０２に記載の系。
（項目１０４）
前記組織輸送台が、前記支持面が前記容器に密閉得され得る最大平面の面積の少なくとも約６０パーセントである面積を有するように構成されている、項目１０１〜１０３のいずれか一項に記載の系。
（項目１０５）
前記組織輸送台の前記支持面に取り付けられている凍結組織試料と組み合わされた、項目９５〜１０４のいずれか一項に記載の系。
（項目１０６）
前記凍結組織試料と、前記組織輸送台の前記支持面との間に位置する犠牲材料の層を更に含む、項目１０５に記載の系。
（項目１０７）
前記犠牲材料が、凍結組織試料を前記支持面に支持し、取り付けるように適合されている生体不活性材料である、項目１０６に記載の系。
（項目１０８）
前記犠牲材料が、凍結生理食塩水、ＯＣＴ、パラフィン、ゼラチン、緩衝液、寒天、細胞培養培地、および水からなる群から選択される材料を含む、項目１０６または１０７に記載の系。
（項目１０９）
前記組織輸送台が、前記支持面の周界から上方に延長している周囲側壁を含む、項目９５〜１０８のいずれか一項に記載の系。
（項目１１０）
前記組織輸送台が、長方形の周界を有する、項目９５〜１０９のいずれか一項に記載の系。
（項目１１１）
前記組織輸送台が、楕円形の周界を有する、項目９５〜１０９のいずれか一項に記載の系。
（項目１１２）
前記組織輸送台が、円形の周界を有する、項目９５〜１０９のいずれか一項に記載の系。
（項目１１３）
前記組織輸送台の少なくとも一部が前記容器と間隔を開けて、隙間を形成する、項目９５〜１１２に記載の系。
（項目１１４）
前記組織輸送台が前記容器に取り付けられていない、項目９５〜１１３のいずれか一項に記載の系。
（項目１１５）
前記組織輸送台を前記容器の前記基部から単に持ち上げることにより開けられるときに前記容器から前記組織輸送台が取り出され得るように、前記組織輸送台および容器が構成されている、項目９５〜１１４のいずれか一項に記載系。
（項目１１６）
前記組織輸送台が、前記支持面の剛性を増加するために位置されているリブを含む、項目９５〜１１５のいずれか一項に記載の系。
（項目１１７）
クリオトームが前記凍結組織試料を薄切りするのに使用される間、凍結組織試料を前記クリオトーム上に支持する組織輸送体であって、
前記凍結試料組織を支持する支持面と、
前記支持面の周界から上方に延長している周囲側壁と、
前記組織輸送台を前記クリオトームに接続し、かつ前記クリオトームが前記凍結組織試料を薄切りするのに使用されている間、前記支持面を静止状態で保持するように適合されている連結器と
を含む、組織輸送台。
（項目１１８）
前記連結器が、前記組織輸送台の下面にレールを含む、項目１１７に記載の組織輸送台。
（項目１１９）
クリオトームが前記凍結組織試料を薄切りするのに使用される間、凍結組織試料を前記クリオトーム上に支持する組織輸送台であって、
前記凍結試料組織を支持する支持面と、
前記支持面の周界から上方に延長している周囲側壁と、
前記支持面の反対側にある下面であって、前記支持面を補強するために位置しているリブを有する前記下面と、
を含む、組織輸送台。
（項目１２０）
前記組織輸送台を前記クリオトームに接続し、かつ前記クリオトームが前記凍結組織試料を薄切りするのに使用されている間、前記支持面を静止状態で保持するように適合されている連結器を更に含む、項目１１９に記載の組織輸送台。
（項目１２１）
前記組織輸送台が、両側を有し、前記連結器が、前記両側から外側に向かって延長している突出部を含む、項目１１７、１１８、または１２０に記載の組織輸送台。
（項目１２２）
前記突出部が、外側に向かって先細る側面下端部を含む、項目１２１に記載の組織輸送台。
（項目１２３）
前記両側が、実質的に互いに平行である、項目１２２に記載の組織輸送台。
（項目１２４）
前記組織輸送台の前記支持面に取り付けられている凍結組織試料と組み合わされた、項目１１７〜１２３のいずれか一項に記載の組織輸送台。
（項目１２５）
前記凍結組織試料と、前記組織輸送台の前記支持面との間に位置する犠牲材料の層を更に含む、項目１２４に記載の組織輸送台。
（項目１２６）
前記犠牲材料が、凍結組織試料を前記支持面に支持し、取り付けるように適合されている生体不活性材料である、項目１２５に記載の組織輸送台。
（項目１２７）
前記犠牲材料が、凍結生理食塩水、ＯＣＴ、パラフィン、ゼラチン、緩衝液、寒天、細胞培養培地、および水からなる群から選択される材料を含む、項目１２５に記載の組織輸送台。
（項目１２８）
前記組織輸送台が、長方形の周界を有する、項目１１７〜１２７のいずれか一項に記載の組織輸送台。
（項目１２９）
前記組織輸送台が、楕円形の周界を有する、項目１１７〜１２７のいずれか一項に記載の組織輸送台。
（項目１３０）
前記組織輸送台が、円形の周界を有する、項目１１７〜１２７のいずれか一項に記載の組織輸送台。
（項目１３１）
クリオトームと組み合わされており、前記組織輸送台が前記クリオトームに装着されている、項目１１７〜１３０のいずれか一項に記載の組織輸送台。
（項目１３２）
前記組織輸送台に取り付けられている凍結組織試料を更に含む、項目１３１に記載の組織輸送台とクリオトームとの組み合わせ。
（項目１３３）
コア採取装置と組み合わされており、前記組織輸送台が前記コア採取装置に装着されている、項目１１７〜１３０のいずれか一項に記載の組織輸送台。
（項目１３４）
前記組織輸送台に取り付けられている凍結組織試料を更に含む、項目１３３に記載の組織輸送台とコア採取装置との組み合わせ。
（項目１３５）
クリオトームおよびコア採取装置と組み合わされており、前記組織輸送台が、前記クリオトームの前記組織輸送台に装着するように適合されており、かつ前記コア採取装置の前記組織輸送台に装着するように適合されている連結器を有する、項目１１７〜１３０のいずれか一項に記載の組織輸送台。
（項目１３６）
前記組織輸送台に取り付けられている凍結試料組織を更に含む、項目１３５に記載の組織輸送台と、クリオトームと、コア採取装置との組み合わせ。
（項目１３７）
組織試料を保管する方法であって、
前記組織を組織輸送台に取り付けることと、
前記組織を容器の中に密閉することと、
前記組織が前記容器内に含有されている間、前記容器を凍結貯蔵庫の中に配置することと、
を含む、方法。
（項目１３８）
前記組織輸送台が、前記組織を支持する支持面、および前記組織と前記支持面との間隔を開ける前記支持面上の犠牲材料を含む、項目１３７に記載の方法。
（項目１３９）
前記組織を前記組織輸送台に取り付けることが、凍結組織を湿潤表面に配置することを含む、項目１３７または１３８に記載の方法。
（項目１４０）
前記組織を前記組織輸送台に取り付けることが、非凍結組織を前記組織輸送台に配置し、前記容器が凍結貯蔵庫に入った後、前記組織を凍結することを含む、項目１３７または１３８に記載の方法。
（項目１４１）
前記組織および組織輸送台を前記容器に密閉することが、前記組織輸送台が前記容器の中心軸に対して傾斜するように、前記組織輸送台を前記容器の中で方向付けることを含む、項目１３７〜１４０のいずれか一項に記載の方法。
（項目１４２）
前記組織および組織輸送台を前記容器から取り出すことと、
前記凍結組織を、前記凍結組織が前記組織輸送台に取り付けられている間に薄切りにして、組織切片を得ることと、
を更に含む、項目１３７〜１４０のいずれか一項に記載の方法。
（項目１４３）
前記組織切片を分析して、前記組織切片における目的の特徴の１つ以上を識別することを更に含む、項目１４２に記載の方法。
（項目１４４）
コア採取ビットを、前記組織が前記組織輸送台に取り付けられている間に挿入して、前記試料の一部から凍結試料コアを得ることを更に含む、項目１３７〜１４３のいずれか一項に記載の方法。
（項目１４５）
前記コア採取ビットを前記組織に挿入することが、前記コア採取ビットを前記組織試料の最後まで通し、前記組織試料の下にある犠牲材料の中に延長することを含む、項目１４４に記載の方法。
（項目１４６）
残りの前記組織および組織輸送台を容器に密閉すること、および前記組織輸送台および残りの組織が前記容器内に含有されている間、前記容器を凍結貯蔵庫の中に配置することを更に含む、項目１４２〜１４５のいずれか一項に記載の方法。
（項目１４７）
残りの前記組織および組織輸送台を容器に密閉することが、残りの前記組織および組織輸送台を、これらが以前に含有されていた前記容器に再密閉することを含む、項目１４２に記載の方法。
（項目１４８）
前記組織を容器に密閉することが、前記組織輸送台を前記容器の基部として使用すること、および蓋を前記組織輸送台に固定することを含む、項目１３７〜１４７のいずれか一項に記載の方法。
（項目１４９）
前記組織を容器に密閉することが、前記組織輸送台および組織を前記容器の基部に配置すること、および、前記組織輸送台および組織が前記容器内に密閉されるように、前記容器の前記基部に蓋を固定することを含む、項目１３７〜１４７のいずれか一項に記載の方法。
（項目１５０）
前記組織輸送台に取り付けられている間に前記組織を薄切りし、分析し、次にコア採取ビットに挿入してから時間が経過した後、凍結貯蔵庫から前記凍結組織試料を回収して、前記凍結組織試料を再び薄切りすることなく前記試料の一部から凍結試料コアを得ることを更に含む、項目１４３に記載の方法。